(57)【要約】【課題】  ニードルに作用する開弁方向の力を大きくし、可動コアの摩耗を低減可能な燃料噴射弁を提供する。【解決手段】  燃料噴射弁１の噴孔を開閉するニードル４０は、開弁時に可動コア５０と衝突する鍔部４３を有している。鍔部４３の径方向外側には可動コア５０と鍔部４３との間に隙間４３０を形成する隙間形成部材６３が設けられている。可動コア５０が隙間４３０を利用して加速しつつ鍔部４３に衝突すると、比較的大きな開弁方向の力がニードル４０に作用する。また、ニードル４０の往復移動は、ニードル４０の鍔部４３側の端部に設けられる摺動部材６０を介して固定コア３０に案内される。ニードル４０が挿通される可動コア５０の往復移動は、ニードル４０及び摺動部材６０を介して固定コア３０に案内される。このとき、可動コア５０の外壁５０５とハウジング２０の内壁２１１、２２１との間には隙間２００が形成されている。【選択図】  図２
2016125362.tif 000002
【特許請求の範囲】
【請求項１】
燃料が噴射される噴孔（２６）、及び、前記噴孔の周囲に形成される弁座（２５０）を有するハウジング（２０）と、
往復移動可能なよう前記ハウジングに収容され、前記弁座から離間または前記弁座に当接すると前記噴孔を開閉するニードル部（４１、４２、４４）と、
前記ニードル部の前記弁座に当接可能な端部（４２）とは反対側の端部の径方向外側に設けられる鍔部（４３）と、
前記ハウジング内に固定される筒状の固定コア（３０）と、
前記鍔部の前記噴孔側に設けられ、前記ニードル部が挿通される挿通孔（５００）を有し、外壁（５０５）が前記ハウジングの内壁（２１１、２２１）との間に第一隙間（２００）を形成しつつ前記挿通孔の内壁が前記ニードル部の外壁（４１２）と摺動可能な可動コア（５０）と、
電力が供給されると前記可動コアを前記固定コア側に吸引可能なコイル（３５）と、
外壁が前記固定コアの内壁と摺動するよう前記鍔部の前記噴孔とは反対側に設けられる第一摺動部（６１、７１、９１）と、
外壁が前記ニードル部の内壁または前記第一摺動部の内壁と摺動するよう前記第一摺動部または前記ニードル部に設けられる第二摺動部（４５、６２、７２）と、
前記第一摺動部と前記可動コアとの間に設けられ、前記鍔部と前記可動コアとの間及び前記鍔部と前記第一摺動部との間の少なくとも一方に隙間を形成する隙間形成部材（６３、８３、９３）と、
前記第一摺動部を閉弁方向に付勢する第一付勢部材（３１）と、
前記第一付勢部材の付勢力より小さい付勢力で前記可動コアを開弁方向に付勢する第二付勢部材（３２、３３）と、
を備え、
前記ニードル部と前記弁座とが当接し、かつ、前記鍔部の前記噴孔とは反対側の端面（４３２）と前記第一摺動部の前記噴孔側の端面（６１５、７１５、９１５）とが当接しているとき、前記鍔部の前記噴孔側の端面（４３１）と前記可動コアの前記噴孔とは反対側の端面（５０１）との間には第二隙間（４３０）が形成されることを特徴とする燃料噴射弁。
【請求項２】
前記第二摺動部は、前記第一摺動部または前記ニードル部と一体に形成され、外壁が前記ニードル部の内壁または前記第一摺動部の内壁に摺動することを特徴とする請求項１に記載の燃料噴射弁。
【請求項３】
前記第二摺動部は、前記第一摺動部及び前記ニードル部とは別体に形成されており、前記第一摺動部の内壁または前記ニードル部の内壁に嵌合するよう設けられ、外壁が前記ニードル部の内壁または前記第一摺動部の内壁に摺動することを特徴とする請求項１に記載の燃料噴射弁。
【請求項４】
前記第二摺動部は、前記噴孔とは反対側の端部の外縁部（４５４、７２４）の前記ハウジングの中心軸（ＣＡ０）に垂直な方向の大きさが前記中心軸に沿って前記噴孔側から前記噴孔とは反対側に向かうにつれて小さくなるよう形成されていることを特徴とする請求項３に記載の燃料噴射弁。
【請求項５】
前記第一摺動部は、前記噴孔側の端部の内縁部（７１７、９１７）の前記ハウジングの中心軸（ＣＡ０）に垂直な方向の大きさが前記中心軸に沿って前記噴孔側から前記噴孔とは反対側に向かうにつれて小さくなるよう形成されていることを特徴とする請求項１から４のいずれか一項に記載の燃料噴射弁。
【請求項６】
前記第二摺動部は、前記噴孔側の端部の外縁部（６２３、７２３）の前記ハウジングの中心軸（ＣＡ０）に垂直な方向の大きさが前記中心軸に沿って前記噴孔側から前記噴孔とは反対側に向かうにつれて大きくなるよう形成されていることを特徴とする請求項１から５のいずれか一項に記載の燃料噴射弁。
【請求項７】
前記第一摺動部は、前記噴孔側の端部の外縁部（６１２、７１２、９１２）の前記ハウジングの中心軸（ＣＡ０）に垂直な方向の大きさが前記中心軸に沿って前記噴孔側から前記噴孔とは反対側に向かうにつれて大きくなるよう形成されていることを特徴とする請求項１から６のいずれか一項に記載の燃料噴射弁。
【請求項８】
前記ニードル部は、前記第一摺動部側の端部の内縁部（４１３）の前記ハウジングの中心軸（ＣＡ０）に垂直な方向の大きさが前記中心軸に沿って前記噴孔側から前記噴孔とは反対側に向かうにつれて大きくなるよう形成されていることを特徴とする請求項１から７のいずれか一項に記載の燃料噴射弁。
【請求項９】
前記鍔部は、前記第一摺動部側の端部の外縁部（４３３）の前記ハウジングの中心軸（ＣＡ０）に垂直な方向の大きさが前記中心軸に沿って前記噴孔側から前記噴孔とは反対側に向かうにつれて小さくなるよう形成されていることを特徴とする請求項１から８のいずれか一項に記載の燃料噴射弁。
【請求項１０】
前記隙間形成部材は、内壁（６３３）が前記鍔部の外壁（４３４）と摺動、または、外壁（８３３、９３３）が前記固定コアの内壁と摺動することを特徴とする請求項１から９のいずれか一項に記載の燃料噴射弁。
【請求項１１】
前記隙間形成部材は、前記噴孔側の端部の内縁部（６３４）の前記ハウジングの中心軸（ＣＡ０）に垂直な方向の大きさが前記中心軸に沿って前記噴孔側から前記噴孔とは反対側に向かうにつれて小さくなるよう形成されていることを特徴とする請求項１から１０のいずれか一項に記載の燃料噴射弁。
【請求項１２】
前記隙間形成部材は、前記噴孔側の端部の外縁部（８３４、９３４）の前記ハウジングの中心軸（ＣＡ０）に垂直な方向の大きさが前記中心軸に沿って前記噴孔側から前記噴孔とは反対側に向かうにつれて大きくなるよう形成されていることを特徴とする請求項１から１０のいずれか一項に記載の燃料噴射弁。
【請求項１３】
前記第一摺動部は、前記第一摺動部の前記噴孔側と前記第一摺動部の前記噴孔とは反対側とを連通する第一流路（６１４、７１４、７１８、９１８）を有することを特徴とする請求項１から１２のいずれか一項に記載の燃料噴射弁。
【請求項１４】
前記隙間形成部材は、内側と外側とを連通する第二流路（６３６、６３７、８３６、９３６）を有することを特徴とする請求項１から１３のいずれか一項に記載の燃料噴射弁。
【請求項１５】
前記隙間形成部材は、前記鍔部との間に前記鍔部の噴孔側と、前記噴孔とは反対側とを連通する第三流路（８３７、９３７）を有することを特徴とする請求項１から１４のいずれか一項に記載の燃料噴射弁。
【請求項１６】
前記ニードル部の前記弁座に当接可能な端部と前記鍔部との間であって前記ニードル部の径方向外側に設けられ、前記ニードル部と一体に往復移動可能なばね座部（４６）を備え、
前記第二付勢部材は、一端が前記可動コアに当接し、他端が前記ばね座部に当接するよう設けられることを特徴とする請求項１から１５のいずれか一項に記載の燃料噴射弁。
【発明の詳細な説明】
【技術分野】
【０００１】
本発明は、内燃機関（以下、「エンジン」という）に燃料を噴射供給する燃料噴射弁に関する。
【背景技術】
【０００２】
従来、ハウジングが有する噴孔をニードルの往復移動によって開閉しハウジング内の燃料を外側に噴射する燃料噴射弁が知られている。例えば、特許文献１には、コイル、コイルの内側に設けられる固定コア、固定コアの噴孔側に設けられる可動コア、可動コアとは別体に設けられるニードル、可動コア及びニードルを閉弁方向に付勢するスプリングを備え、ニードルが弁座に当接しているときニードルが有するストッパと可動コアとの間に隙間が形成される燃料噴射弁が記載されている。
【先行技術文献】
【特許文献】
【０００３】
【特許文献１】特許４６３７９３０号明細書
【発明の概要】
【発明が解決しようとする課題】
【０００４】
特許文献１に記載の燃料噴射弁では、コイルが形成する磁界によって可動コアが固定コアに吸引されると、可動コアは、ニードルのストッパと可動コアとの間の隙間を利用して加速しつつ開弁方向に移動した後、ニードルのストッパに衝突する。これにより、特許文献１に記載の燃料噴射弁では、ニードルに作用する開弁方向の力（以下、「開弁力」という）が比較的大きくなる。しかしながら、特許文献１に記載の燃料噴射弁では、可動コアは、外壁がハウジングの内壁に摺動し内壁がニードルの外壁に摺動しつつニードルのストッパに衝突するため、可動コアが当該隙間を利用して加速するとき、ハウジングの内壁との摺動及びニードルの外壁との摺動による摩擦抵抗が可動コアに作用する。このため、開弁力を大きくすることが困難になるおそれがある。
【０００５】
また、特許文献１の燃料噴射弁では、可動コアの外壁がハウジングの内壁と摺動するため、可動コアの外壁が摺動により摩耗するおそれがある。可動コアが摩耗すると、可動コアの吸引特性が変化したり、可動コアの摩耗により発生する摩耗粉がニードルと弁座との間に噛み込まれたりするおそれがある。また、ニードルは、噴孔とは反対側の端部より噴孔側に位置するニードルの中間部と噴孔側の端部とがハウジングに摺動しているため、ニードルの往復移動が不安定になるおそれがある。
【０００６】
本発明の目的は、ニードルに作用する開弁方向の力を大きくし、可動コアの摩耗を低減可能な燃料噴射弁を提供することにある。
【課題を解決するための手段】
【０００７】
本発明は、燃料噴射弁であって、燃料が噴射される噴孔を有するハウジングと、往復移動可能なようハウジングに収容され噴孔の周囲に形成される弁座から離間または弁座に当接すると噴孔を開閉するニードル部と、ニードル部の弁座に当接可能な端部とは反対側の端部の径方向外側に設けられる鍔部と、鍔部の噴孔側に設けられニードル部が挿通される挿通孔を有し外壁がハウジングの内壁との間に第一隙間を形成しつつ挿通孔の内壁がニードル部の外壁と摺動可能な可動コアと、電力が供給されると可動コアを固定コア側に吸引可能なコイルと、外壁が固定コアの内壁と摺動するよう鍔部の噴孔とは反対側に設けられる第一摺動部と、外壁がニードル部の内壁または第一摺動部の内壁と摺動するよう第一摺動部またはニードル部に設けられる第二摺動部と、第一摺動部と可動コアとの間に設けられ鍔部と可動コアとの間及び鍔部と第一摺動部との間の少なくとも一方に隙間を形成する隙間形成部材と、第一摺動部を閉弁方向に付勢する第一付勢部材と、第一付勢部材の付勢力より小さい付勢力で可動コアを開弁方向に付勢する第二付勢部材と、を備える。
本発明の燃料噴射弁は、ニードル部と弁座とが当接し、かつ、鍔部の噴孔とは反対側の端面と第一摺動部の噴孔側の端面とが当接しているとき、鍔部の噴孔側の端面と可動コアの噴孔とは反対側の端面との間には第二隙間が形成されることを特徴とする。
【０００８】
本発明の燃料噴射弁では、隙間形成部材は、鍔部と可動コアとの間及び鍔部と第一摺動部との間の少なくとも一方に隙間を形成する。ニードル部と弁座とが当接し、かつ、鍔部の噴孔とは反対側の端面と第一摺動部の噴孔側の端面とが当接しているとき、鍔部の噴孔側の端面と可動コアの噴孔とは反対側の端面との間には第二隙間が形成されている。コイルに電力が供給され可動コアが固定コアに吸引されると、可動コアは、第二隙間を利用して開弁方向に加速しつつ移動し、鍔部に当接する。これにより、鍔部の径方向内側に設けられているニードル部に比較的大きな開弁力を作用させることができる。
【０００９】
また、本発明の燃料噴射弁では、ニードル部の鍔部が設けられている側の端部には第一摺動部及び第二摺動部が設けられている。第二摺動部は、ニードル部または第一摺動部と摺動しつつ第一摺動部またはニードル部に設けられている。また、第一摺動部は、外壁が固定コアの内壁と摺動するよう鍔部の噴孔とは反対側に設けられる。また、挿通孔を有する可動コアは、挿通孔に挿通されているニードル部の外壁に摺動しており、可動コアのハウジング内での往復移動はニードル部によって案内される。さらに、可動コアの外壁とハウジングの内壁との間には第一隙間が形成されている。これにより、可動コアがハウジングの内壁と摺動する場合に比べ、可動コアに作用する摩擦抵抗が小さくなる。したがって、摩擦抵抗によって可動コアの開弁方向への移動速度が遅くなることを防止し、開弁力をさらに大きくすることができる。
【００１０】
また、本発明の燃料噴射弁では、可動コアの外壁とハウジングの内壁との間に第一隙間が形成されているため、可動コアの外壁の摩耗を低減することができる。これにより、可動コアの外壁の摩耗によって可動コアと固定コアとの間の吸引特性が変化したり、可動コアの外壁の摩耗によって発生する摩耗粉がニードルと弁座との間に噛み込まれたりすることを防止することができる。
【００１１】
また、本発明の燃料噴射弁では、ニードル部の往復移動は、ニードル部の鍔部が設けられている側の端部が第一摺動部及び第二摺動部を介して固定コアに案内されている。これにより、ニードル部は、ハウジング内で安定して往復移動することができる。
【図面の簡単な説明】
【００１２】
【図１】本発明の第一実施形態による燃料噴射弁の断面図である。
【図２】図１のＩＩ部拡大図である。
【図３】本発明の第一実施形態による燃料噴射弁の作用を説明する断面図である。
【図４】本発明の第一実施形態による燃料噴射弁の作用を説明する断面図であって、図３とは異なる作用を説明する断面図である。
【図５】本発明の第二実施形態による燃料噴射弁の断面図である。
【図６】本発明の第三実施形態による燃料噴射弁の断面図である。
【図７】本発明の第四実施形態による燃料噴射弁の断面図である。
【発明を実施するための形態】
【００１３】
以下、本発明の複数の実施形態について図面に基づいて説明する。
【００１４】
（第一実施形態）
本発明の第一実施形態による燃料噴射弁１を図１〜４に示す。なお、図１〜４には、ニードル４０が弁座２５０から離間する方向である開弁方向、及び、ニードル４０が弁座２５０に当接する方向である閉弁方向を図示する。
【００１５】
燃料噴射弁１は、例えば図示しない直噴式ガソリンエンジンの燃料噴射装置に用いられ、燃料としてのガソリンを高圧でエンジンに噴射供給する。燃料噴射弁１は、ハウジング２０、ニードル４０、可動コア５０、固定コア３０、摺動部材６０、隙間形成部材６３、コイル３５、「第一付勢部材」としての第一スプリング３１、「第二付勢部材」としての第二スプリング３２などを備える。
【００１６】
ハウジング２０は、図１に示すように、第一筒部材２１、第二筒部材２２、第三筒部材２３及び噴射ノズル２５から構成されている。第一筒部材２１、第二筒部材２２及び第三筒部材２３は、いずれも円筒状に形成され、第一筒部材２１、第二筒部材２２、第三筒部材２３の順に同軸となるよう配置され、互いに接続している。
【００１７】
噴射ノズル２５は、第一筒部材２１の第二筒部材２２とは反対側の端部に設けられている。噴射ノズル２５は、例えばマルテンサイト系ステンレスなどの金属により有底筒状に形成されており、第一筒部材２１に溶接されている。噴射ノズル２５は、所定の硬度を有するよう焼入れ処理が施されている。
【００１８】
噴射ノズル２５は、ハウジング２０の中心軸ＣＡ０を対称軸として線対称に形成されている。噴射ノズル２５は、ハウジング２０の内側と外側とを連通する噴孔２６が複数有する。噴孔の内側開口の縁には、弁座２５０が形成されている。
【００１９】
ニードル４０は、例えばマルテンサイト系ステンレスなどの金属により形成されている。ニードル４０は、噴射ノズル２５の硬度と同程度の硬度を有するよう焼入れ処理が施されている。
【００２０】
ニードル４０は、ハウジング２０の内側に往復移動可能に収容されている。ニードル４０は、軸部４１、「ニードル部の弁座に当接可能な端部」としてのシール部４２、摺接部４４、鍔部４３などを有する。軸部４１、シール部４２、摺接部４４及び鍔部４３は、一体に形成される。軸部４１、シール部４２及び摺接部４４は、特許請求の範囲に記載の「ニードル部」に相当する。
【００２１】
軸部４１は、固定コア３０側の端部が筒状に形成されている棒状の部位である。軸部４１の固定コア３０側の端部は、噴射ノズル２５の内側に向かう燃料が流れる流路４００を有する。流路４００は、流路４００の噴孔２６側において軸部４１が有する孔４１１と連通している。すなわち、孔４１１は、流路４００と軸部４１の外部とを連通する。流路４００の噴孔２６とは反対側の開口の内縁部４１３は、噴孔２６側から噴孔２６とは反対側に向かうにつれて内径が大きくなるよう形成されている。
【００２２】
シール部４２は、軸部４１の噴孔２６側の端部に弁座２５０に当接可能に設けられている。ニードル４０は、シール部４２が弁座２５０から離間または弁座２５０に当接すると噴孔２６を開閉し、ハウジング２０の内側と外側とを連通または遮断する。
【００２３】
軸部４１とシール部４２との間には摺接部４４が設けられている。摺接部４４は、円筒状に形成され、外壁４４１の一部が面取りされている。摺接部４４は、外壁４４１の面取りされていない部分が噴射ノズル２５の内壁と摺接可能である。これにより、ニードル４０は、噴孔２６側の端部の往復移動が案内される。
【００２４】
鍔部４３は、略円環状に形成され、軸部４１の固定コア３０側の端部の径方向外側に設けられている。鍔部４３の外径は軸部４１の外径より大きい。鍔部４３の噴孔２６とは反対側の端部の外縁部４３３は、噴孔２６側から噴孔２６とは反対側に向かうにつれて外径が小さくなるよう形成されている。
【００２５】
可動コア５０は、例えばフェライト系ステンレスなどの磁性材料により略筒状に形成されている。可動コア５０は、固定コア３０の噴孔２６側にハウジング２０に対して往復移動可能に設けられている。可動コア５０の外壁５０５と第一筒部材２１の内壁２１１及び第二筒部材２２の内壁２２１との間には「第一隙間」として隙間２００が形成されている。
【００２６】
可動コア５０は、軸部４１が挿通される挿通孔５００を有している。挿通孔５００の内壁は、軸部４１の外壁４１２と摺動している。
挿通孔５００の固定コア３０側は、鍔部４３の噴孔２６側の「鍔部の噴孔側の端面」としての鍔部端面４３１及び固定コア３０の噴孔２６側の端面に対向する「可動コアの噴孔とは反対側の端面」としての可動コア当接面５０１を有する。可動コア当接面５０１には、耐摩耗性に優れた膜、例えば、硬質クロムめっき膜が施されている。燃料噴射弁１では、シール部４２と弁座２５０とが当接し、かつ、図２に示すように鍔部４３の噴孔２６とは反対側の端面４３２と後述する第一摺動部６１とが当接しているとき、鍔部端面４３１と可動コア当接面５０１との間には「第二隙間」として隙間４３０が形成される。可動コア５０は、可動コア５０の固定コア３０側と噴孔２６側とを連通する複数の連通路５０２を有する。複数の連通路５０２は、中心軸ＣＡ０上の点を中心とする仮想円の円周上に等間隔に位置する。
【００２７】
固定コア３０は、ハウジング２０の第三筒部材２３と溶接され、ハウジング２０の内側に固定されるよう設けられている。固定コア３０は、固定コア本体部３０１及び固定コア摺動部３０２を有している。
【００２８】
固定コア本体部３０１は、例えばフェライト系ステンレスなどの磁性材料から形成されている。固定コア本体部３０１は、磁気安定化処理が施され、後述するコイル３５が形成する磁界内に設けられている。
【００２９】
固定コア摺動部３０２は、固定コア本体部３０１の噴孔２６側の端部の内側に設けられている筒状部材である。固定コア摺動部３０２は、表面に例えばクロムめっきを施し、第一摺動部６１や可動コア当接面５０１の硬度と同程度の硬度を有している。固定コア摺動部３０２は、図２に示すように、噴孔２６側の端面３０３が固定コア本体部３０１の噴孔２６側の端面３０４より噴孔２６側に位置している。これにより、可動コア５０が開弁方向に移動すると、可動コア５０の可動コア当接面５０１と固定コア摺動部３０２の端面３０３とが当接し、可動コア５０の開弁方向への移動が規制される。
【００３０】
摺動部材６０は、固定コア摺動部３０２の内側に設けられる。摺動部材６０は、第一摺動部６１及び第二摺動部６２を有する。第一実施形態による燃料噴射弁１では、第一摺動部６１と第二摺動部６２とは一体に形成される。
【００３１】
第一摺動部６１は、鍔部４３の噴孔２６とは反対側に設けられている略環状の部位である。第一摺動部６１は、径方向外側の外壁６１１が固定コア摺動部３０２の内壁と摺動するよう設けられている。
第一摺動部６１の噴孔２６側の端部の外縁部６１２は、噴孔２６側から噴孔２６とは反対側に向かうにつれて外径が大きくなるよう形成されている。第一摺動部６１の鍔部４３とは反対側の端部は、第一スプリング３１の一端が挿入される環状の溝６１３を有する。また、第一摺動部６１の径方向外側の端部は、第一摺動部６１の噴孔２６とは反対側と第一摺動部６１の噴孔２６側とを連通する「第一流路」としての連通路６１４を複数有する。
【００３２】
第二摺動部６２は、第一摺動部６１の径方向内側に設けられている略筒状の部位である。第二摺動部６２は、径方向外側の外壁６２１と流路４００の内壁４０１とが摺動するよう設けられている。
第二摺動部６２は、中心軸ＣＡ０の方向に第二摺動部６２を貫通する貫通孔６２２を有する。貫通孔６２２は、第二摺動部６２の噴孔２６とは反対側と流路４００とを連通する。第二摺動部６２の噴孔２６側の端部の外縁部６２３は、噴孔２６側から噴孔２６と反対側に向かうにつれて外径が大きくなるよう形成されている。
【００３３】
隙間形成部材６３は、第一摺動部６１と可動コア５０との間に設けられる環状部材である。隙間形成部材６３は、噴孔２６側の端面６３１が可動コア当接面５０１に当接し、噴孔２６とは反対側の端面６３２が第一摺動部６１の噴孔２６側の端面６１５に当接するよう設けられている。隙間形成部材６３は、内壁６３３が鍔部４３の径方向外側の外壁４３４と摺動するよう設けられている。
隙間形成部材６３の噴孔２６側の端部の内縁部６３４は、噴孔２６側から噴孔２６とは反対側に向かうにつれて内径が小さくなるよう形成されている。また、隙間形成部材６３の噴孔２６とは反対側の端部の内縁部６３５は、噴孔２６側から噴孔２６とは反対側に向かうにつれて内径が大きくなるよう形成されている。また、隙間形成部材６３の噴孔２６側の端部及び噴孔２６とは反対側の端部は、隙間形成部材６３の内側と外側とを連通する「第二流路」として連通路６３６、６３７を有している。
【００３４】
隙間形成部材６３の中心軸ＣＡ０方向の長さは、鍔部４３の中心軸ＣＡ０方向の長さより長い。これにより、鍔部端面４３１と可動コア当接面５０１との間、または、鍔部４３の端面４３２と第一摺動部６１の端面６１５との間には隙間４３０、６１０が形成される。（隙間４３０は図２参照。隙間６１０は図３、４参照）
【００３５】
コイル３５は、筒状に形成され、主に第二筒部材２２及び第三筒部材２３の径方向外側を囲むよう設けられている。コイル３５は、電力が供給されると周囲に磁界を形成する。磁界が形成されると、固定コア３０、可動コア５０、第一筒部材２１、第三筒部材２３及びホルダ１７の内部に磁気回路が形成される。
【００３６】
第一スプリング３１は、一端が第一摺動部６１の溝６１３に挿入されている。第一スプリング３１の他端は、固定コア３０の内側に圧入固定されているアジャスティングパイプ１１の噴孔２６側の端面１１１に当接している。第一スプリング３１は、ニードル４０を弁座２５０の方向、すなわち、閉弁方向に付勢している。
【００３７】
第二スプリング３２は、一端が第一筒部材２１の内壁に当接するよう設けられている。第二スプリング３２の他端は、可動コア５０の噴孔２６側の端面５０３に当接している。第二スプリング３２は、可動コア５０を弁座２５０とは反対の方向に付勢している。
【００３８】
本実施形態では、第二スプリング３２の付勢力は、第一スプリング３１の付勢力より小さくなるよう設定されている。これにより、コイル３５に電力が供給されていないとき、ニードル４０のシール部４２は、弁座２５０に当接した状態、すなわち、閉弁状態となる。
【００３９】
第三筒部材２３の第二筒部材２２側とは反対の端部には、筒状の燃料導入パイプ１２が圧入及び溶接されている。燃料導入パイプ１２の内側には、フィルタ１３が設けられている。フィルタ１３は、燃料導入パイプ１２の導入口１４から流入した燃料に含まれる異物を捕集する。
【００４０】
燃料導入パイプ１２及び第三筒部材２３の径方向外側は、樹脂によりモールドされている。当該モールドされている部分はコネクタ１５を有する。コネクタ１５には、コイル３５へ電力を供給するための端子１６がインサート成形されている。また、コイル３５の径方向外側には、コイル３５を覆うよう筒状のホルダ１７が設けられている。
【００４１】
燃料導入パイプ１２の導入口１４から流入する燃料は、固定コア３０の内側、アジャスティングパイプ１１の内側、貫通孔６２２、流路４００、孔４１１、第一筒部材２１と軸部４１との間を流れ、噴射ノズル２５の内側に導かれる。また、アジャスティングパイプ１１の内側を流れる燃料の一部は、連通路６１４、可動コア５０と固定コア３０との間、連通路５０２、第一筒部材２１と軸部４１との間を流れ、噴射ノズル２５の内部に導かれる。
【００４２】
次に、燃料噴射弁１の製造方法について、特に、摺動部材６０及び隙間形成部材６３が関連する工程について説明する。
ハウジング２０の内側に設けられる可動コア５０の挿通孔５００に挿通されているニードル４０に隙間形成部材６３を組み付ける。このとき、隙間形成部材６３を第三筒部材２３の燃料導入パイプ１２が設けられる側の開口からハウジング２０の内側に入れ、ハウジング２０の内側に固定されている固定コア３０の内側を通って鍔部４３の外壁４３４に摺動するよう設ける。
【００４３】
次に、摺動部材６０を隙間形成部材６３と同じく第三筒部材２３の燃料導入パイプ１２が設けられる側の開口からハウジング２０の内側に入れる。このとき、第一摺動部６１を固定コア３０の内壁に摺動させつつ、第二摺動部６２をニードル４０の孔４１１に挿入し、第二摺動部６２とニードル４０とが摺動可能に設ける。
その後、第三筒部材２３の燃料導入パイプ１２が設けられる側の開口から第一スプリング３１及びアジャスティングパイプ１１をハウジング２０の内側に入れる。第一スプリング３１の一端を第一摺動部６１の溝６１３に挿入し、他端をアジャスティングパイプ１１の端面１１１に当接させ、固定コア３０に対するアジャスティングパイプ１１の位置を調整する。
【００４４】
次に、燃料噴射弁１の作用について、図２〜４に基づいて説明する。
コイル３５に電力が供給されていないとき、ニードル４０のシール部４２は、弁座２５０に当接している。このとき、ニードル４０、可動コア５０、摺動部材６０、及び、隙間形成部材６３は、図２に示す位置関係となっている。具体的には、固定コア３０と可動コア５０との間には磁気吸引力が発生していないため、固定コア３０と可動コア５０との間には隙間が形成されている。また、第一摺動部６１の端面６１５と軸部４１及び鍔部４３とが当接しているため、隙間４３０が形成されている。隙間４３０には、燃料通路１８を流れる燃料が満たされている。
【００４５】
コイル３５に電力が供給され固定コア３０と可動コア５０との間に磁気吸引力が発生すると、可動コア５０は、隙間４３０の中心軸ＣＡ０方向の長さに相当する距離を加速しつつ開弁方向に移動し、可動コア当接面５０１が鍔部端面４３１に衝突する（図３参照）。このとき、隙間４３０の燃料は、連通路６３６を通って固定コア３０と可動コア５０との間に速やかに流出する。また、第一摺動部６１の端面６１５と鍔部４３の端面４３２との間には隙間６１０が形成される。このとき、隙間６１０には連通路６３７を通って燃料が流入する。
【００４６】
さらに、可動コア５０は、固定コア３０と可動コア５０との間の磁気吸引力によって可動コア当接面５０１と鍔部端面４３１とが当接したまま開弁方向に移動する。これにより、シール部４２が弁座２５０から離間し、噴孔２６が開く。噴孔２６が開くと、噴射ノズル２５の内側に導かれている燃料が噴孔２６を通って外部に噴射される。開弁方向に移動する可動コア５０が図４に示すように固定コア摺動部３０２に当接すると、可動コア５０及びニードル４０の開弁方向への移動が停止する。
【００４７】
コイル３５への電力の供給が停止すると、固定コア３０と可動コア５０との間に発生している磁気吸引力が消滅するため、摺動部材６０及び可動コア５０は、第一スプリング３１の付勢力と第二スプリング３２の付勢力との差によって閉弁方向に移動する。このとき、ニードル４０は、閉弁方向に作用する燃料の圧力によって図４に示す可動コア５０、摺動部材６０との相対的な位置関係を維持したまま閉弁方向に移動する。
【００４８】
ニードル４０がさらに閉弁方向に移動しシール部４２と弁座２５０が当接すると、ニードル４０の閉弁方向への移動が停止し噴孔２６が閉じられる。摺動部材６０及び可動コア５０は、シール部４２と弁座２５０が当接した後も閉弁方向に移動し、第一スプリング３１の付勢力によって図２に示す状態に戻る。
【００４９】
（ａ）第一実施形態による燃料噴射弁１は、シール部４２が弁座２５０に当接し、かつ、第一摺動部６１と軸部４１及び鍔部４３とが当接しているとき、鍔部端面４３１と可動コア当接面５０１との間に隙間４３０を有している。燃料噴射弁１では、可動コア５０は、コイル３５に電力が供給されると隙間４３０の中心軸ＣＡ０方向の長さに相当する距離を加速した後、ニードル４０に衝突する。これにより、燃料噴射弁１では、ニードル４０に比較的大きな開弁力を作用させることができる。
【００５０】
（ｂ）また、ニードル４０の鍔部４３を有する側の端部の往復移動は、第一摺動部６１及び第二摺動部６２を介して固定コア３０に案内されている。また、可動コア５０は、挿通孔５００に挿通されているニードル４０の外壁４１２に摺動しており、可動コア５０の往復移動はニードル４０に案内されている。これにより、可動コア５０の外壁５０５と第一筒部材２１の内壁２１１及び第二筒部材２２の内壁２２１との間には隙間２００を有しているように、可動コア５０の往復移動を案内するために可動コア５０の外壁５０５とハウジング２０の内壁２１１、２２１とを摺動させることが不要となり、可動コアの外壁とハウジングの内壁とが摺動する場合に比べ、可動コア５０に作用する摩擦抵抗を小さくすることができる。したがって、ハウジング２０の内壁２１１、２２１との摩擦によって可動コア５０の開弁方向への移動速度が遅くなることを防止し、ニードル４０に作用する可動コア５０の開弁力を大きくすることができる。
【００５１】
（ｃ）また、可動コア５０に作用する摩擦抵抗が小さくなるため、可動コア５０の摩耗を低減することができる。これにより、可動コア５０の摩耗によって変形する可動コア５０と固定コア３０との吸引特性の変化を防止するととともに、可動コア５０の摩耗によって発生する摩耗粉がニードル４０と弁座２５０との間に噛み込まれたりすることを防止することができる。
【００５２】
（ｄ）特許文献１に記載の燃料噴射弁では、ニードルの往復移動は、噴孔とは反対側の端部より噴孔側に位置するニードルの中間部と噴孔側の端部とがハウジングに摺動することによって案内されている。また、ニードルの噴孔とは反対側の端部は、可動コアを介して案内されている。可動コアは、外壁がハウジングの内壁と摺動しているため、摩耗するおそれがある。可動コアが摩耗すると、ニードルの噴孔とは反対側の端部の往復移動が不安定になり、所望の燃料噴射ができないおそれがある。
第一実施形態による燃料噴射弁１では、ニードル４０は、噴孔２６側の端部に位置する摺接部４４が第一筒部材２１に摺動している。また、鍔部４３が設けられる側の端部の往復移動は、第二摺動部６２及び第一摺動部６１を介して固定コア３０に案内されている。したがって、ニードル４０の二つの端部は、ハウジング２０または固定コア３０によって往復移動が案内されるため、ニードル４０の往復移動を安定させることができる。
【００５３】
（ｅ）隙間形成部材６３は、摺動部材６０とは別部材であるため、隙間形成部材６３を容易に高い精度で作ることができる。これにより、燃料噴射弁１の製造工数を低減するとともに、鍔部４３、隙間４１０、６１０の中心軸ＣＡ０方向の長さを高い精度で設定することができるため可動コア５０がニードル４０に衝突するときの移動速度を高い精度で設定することができる。
【００５４】
（ｆ）また、隙間形成部材と摺動部材とを一体のカップ状に形成する場合、隙間形成部材と摺動部材とによって形成される隅の加工が難しくなる。この隅が曲面状になると、鍔部の弁座とは反対側の端面と第一摺動部の弁座側の端面とが当接する前に鍔部の弁座とは反対側の端部の外縁部が当該隅に当接し、隙間４３０の大きさがばらつく。第一実施形態による燃料噴射弁１では、隙間形成部材６３と摺動部材６０とは別部材であるため、隅が曲面状になることはない。これにより、隙間４３０の大きさのばらつきを低減することができる。
【００５５】
（ｇ）燃料噴射弁１では、第一摺動部６１と第二摺動部６２とが摺動部材６０として一体に形成されている。これにより、燃料噴射弁１を構成する部品の点数を低減することができる。
【００５６】
（ｈ）隙間形成部材６３は、噴孔２６側の端部の内縁部６３４が噴孔２６側から噴孔２６とは反対側に向かうにつれて内径が小さくなるよう形成されている。また、鍔部４３は、噴孔２６とは反対側の端部の外縁部４３３が噴孔２６側から噴孔２６とは反対側に向かうにつれて外径が小さくなるよう形成されている。これにより、燃料噴射弁１を製造するとき、鍔部４３に隙間形成部材６３を容易に組み付けることができる。
【００５７】
（ｉ）また、隙間形成部材６３は、内壁６３３が鍔部４３の径方向外側の外壁４３４と摺動するよう設けられている。これにより、隙間形成部材６３の姿勢を安定させることができる。
【００５８】
（ｊ）固定コア３０の内壁に摺動する第一摺動部６１は、噴孔２６側の端部の外縁部６１２が噴孔２６側から噴孔２６とは反対側に向かうにつれて外径が大きくなるよう形成されている。これにより、燃料噴射弁１を製造するとき、摺動部材６０を固定コア３０の内側に容易に挿入することができる。
【００５９】
（ｋ）流路４００の内壁４０１と摺動する第二摺動部６２は、噴孔２６側の端部の外縁部６２３が噴孔２６側から噴孔２６と反対側に向かうにつれて外径が大きくなるよう形成されている。また、流路４００の噴孔２６とは反対側の開口を形成する内縁部４１３は、噴孔２６側から噴孔２６とは反対側に向かうにつれて内径が大きくなるよう形成されている形成されている。これにより、燃料噴射弁１を製造するとき、第二摺動部６２を流路４００に容易に挿入することができ、摺動部材６０を容易にニードル４０に組み付けることができる。
【００６０】
（ｌ）また、内縁部４１３が噴孔２６側から噴孔２６とは反対側に向かうにつれて内径が大きくなるよう形成されていることによって第一摺動部６１と第二摺動部６２とによって形成される隅が曲面状となっていても第一摺動部６１の端面６１５と鍔部４３の端面４３２とを確実に当接させることができる。これにより、第一摺動部６１と第二摺動部６２とによって形成される隅の加工精度を低くすることができる。
【００６１】
（ｍ）また、燃料噴射弁１を製造するとき、摺動部材６０は、第一摺動部６１が固定コア３０の内壁に摺動した後に第二摺動部６２が流路４００の内壁４０１に摺動するようニードル４０に組み付けられる。これにより、摺動部材６０を組み付ける前のニードル４０が中心軸ＣＡ０に対して傾いていても摺動部材６０の二箇所の摺動する部位が順番に摺動していくため、摺動部材６０を容易に組み付けることができる。
【００６２】
（ｎ）第一摺動部６１が有する連通路６１４は、第一摺動部６１の噴孔２６とは反対側と第一摺動部６１の噴孔２６側とを連通する。これにより、導入口１４側の燃料と固定コア３０と可動コア５０との間の燃料とが確実に行き来するようになり、摺動部材６０が中心軸ＣＡ０方向に移動するときの燃料による粘性抵抗を低減することができる。したがって、当該連通路を有しない場合に比べ、噴孔２６の開閉における応答性を向上することができる。
【００６３】
（ｏ）隙間形成部材６３が有する連通路６３６、６３７は、隙間形成部材６３の内側と外側とを連通する。連通路６３６は、隙間４３０と連通可能に形成されており、連通路６３７は、隙間６１０と連通可能に形成されている。隙間形成部材６３に対するニードル４０の移動によって隙間４３０、６１０の体積が変化するとき、隙間４３０、６１０から隙間形成部材６３の外側に燃料が流出または隙間形成部材６３の外側から隙間４３０、６１０に流入する。これにより、ニードル４０が中心軸ＣＡ０方向に移動するときの燃料による粘性抵抗を低減することができる。したがって、当該連通路を有しない場合に比べ、燃料の粘性抵抗によって可動コア５０の開弁方向への移動速度が遅くなることを防止し、ニードル４０に作用する可動コア５０の開弁力をさらに大きくすることができる。
【００６４】
（第二実施形態）
次に、本発明の第二実施形態による燃料噴射弁を図５に基づいて説明する。第二実施形態は、二つの摺動部材を備える点が第一実施形態と異なる。なお、第一実施形態と実質的に同一の部位には同一の符号を付し、説明を省略する。また、図５には、ニードル４０が弁座２５０から離間する方向である開弁方向、及び、ニードル４０が弁座２５０に当接する方向である閉弁方向を図示する。
【００６５】
第二実施形態による燃料噴射弁２の要部断面図を図５に示す。燃料噴射弁２は、「第一摺動部」としての第一摺動部材７１、「第二摺動部」としての第二摺動部材７２、隙間形成部材６３などを備える。
【００６６】
第一摺動部材７１は、鍔部４３の噴孔２６とは反対側に設けられている略環状の部材である。第一摺動部材７１は、径方向外側の外壁７１１が固定コア摺動部３０２の内壁と摺動するよう設けられている。
第一摺動部材７１は、第二摺動部材７２が挿通される挿通孔７１６を有している。挿通孔７１６を形成する第一摺動部材７１の噴孔２６側の端部の内縁部７１７は、噴孔２６側から噴孔２６とは反対側に向かうにつれて内径が小さくなるよう形成されている。また、第一摺動部材７１の噴孔２６側の端部の外縁部７１２は、噴孔２６側から噴孔２６とは反対側に向かうにつれて外径が大きくなるよう形成されている。
第一摺動部材７１の鍔部４３とは反対側は、第一スプリング３１の一端が挿入される環状の溝７１３を有する。また、第一摺動部材７１の径方向外側の端部は、第一摺動部６１の噴孔２６とは反対側と第一摺動部６１の噴孔２６側とを連通する「第一流路」としての連通路７１４を複数有する。
【００６７】
第二摺動部材７２は、第一摺動部材７１の径方向内側に設けられている略筒状の部材である。第二摺動部材７２は、第一摺動部材７１の挿通孔７１６に嵌合し固定され、径方向外側の外壁７２１と流路４００の内壁４０１とが摺動するよう設けられている。
第二摺動部材７２は、中心軸ＣＡ０の方向に第二摺動部材７２を貫通する貫通孔７２２を有する。貫通孔７２２は、第二摺動部６２の噴孔２６とは反対側と流路４００とを連通する。第二摺動部材７２の噴孔２６側の端部の外縁部７２３は、噴孔２６側から噴孔２６とは反対側に向かうにつれて外径が大きくなるよう形成されている。また、第二摺動部材７２の噴孔２６とは反対側の端部の外縁部７２４は、噴孔２６側から噴孔２６とは反対側に向かうにつれて外径が小さくなるよう形成されている。
【００６８】
隙間形成部材６３は、第一摺動部材７１と可動コア５０との間に設けられる。隙間形成部材６３は、噴孔２６側の端面６３１が可動コア当接面５０１に当接し、噴孔２６とは反対側の端面６３２が第一摺動部材７１の噴孔２６側の端面７１５に当接するよう設けられている。
【００６９】
第二実施形態による燃料噴射弁２は、シール部４２が弁座２５０に当接し、かつ、第一摺動部材７１と軸部４１及び鍔部４３とが当接しているとき、鍔部端面４３１と可動コア当接面５０１との間に隙間４３０を有している。これにより、ニードル４０に比較的大きな開弁力を作用させることができる。また、ニードル４０の鍔部４３を有する側の端部は、第一摺動部材７１及び第二摺動部材７２を介して固定コア３０に案内されている。また、可動コア５０は、ニードル４０によって案内されている。これにより、ハウジング２０との摩擦によって可動コア５０の開弁方向への移動速度が遅くなることを防止することができる。したがって、第二実施形態は、第一実施形態の効果（ａ）〜（ｆ）、（ｈ）〜（ｋ）、（ｍ）〜（ｏ）を奏する。
【００７０】
（ｐ）また、第二実施形態では、固定コア３０に摺動する第一摺動部材７１とニードル４０に摺動する第二摺動部材７２とが別部材となっている。これにより、それぞれ別々に環状の部材と筒状の部材とを製造することができるため、断面が略Ｔ字状となる第一実施形態の摺動部材６０に比べ、容易に作ることができる。したがって、燃料噴射弁２の製造コストを低減することができる。
【００７１】
（ｑ）また、第二実施形態では、ニードル４０に摺動する第二摺動部材７２と第一摺動部材７１とが別部材から形成されている。これにより、燃料噴射弁２の製造工程において、第二摺動部材７２を流路４００に挿入した後第一摺動部材７１を固定コア３０の内側に挿入するとき、第二摺動部材７２の流路４００の内壁４０１との摺動による変形が第一摺動部材７１に影響しない。これにより、第一摺動部材７１は、固定コア３０の内壁と確実に摺動し、ニードル４０の噴孔２６とは反対側の端部を確実に案内することができる。
【００７２】
（ｒ）また、第一摺動部材７１の噴孔２６側の端部の内縁部７１７は、噴孔２６側から噴孔２６とは反対側に向かうにつれて内径が小さくなるよう形成されている。これにより、燃料噴射弁２を製造するとき、第二摺動部材７２を第一摺動部材７１の挿通孔７１６に容易に挿入することができ、第一摺動部材７１と第二摺動部材７２とを容易に組み付けることができる。
【００７３】
（第三実施形態）
次に、本発明の第三実施形態による燃料噴射弁を図６に基づいて説明する。第三実施形態は、第一摺動部材の形状及び隙間形成部材が摺動する部位が異なる点が第二実施形態と異なる。なお、第二実施形態と実質的に同一の部位には同一の符号を付し、説明を省略する。また、図６には、ニードル４０が弁座２５０から離間する方向である開弁方向、及び、ニードル４０が弁座２５０に当接する方向である閉弁方向を図示する。
【００７４】
第三実施形態による燃料噴射弁３の要部断面図を図６に示す。燃料噴射弁３は、第一摺動部材７１、隙間形成部材８３などを備える。
【００７５】
第一摺動部材７１は、第二摺動部材７２が挿通される挿通孔７１６を有している。挿通孔７１６に挿通される第二摺動部材７２は、ニードル４０に対して嵌合し固定され、第一摺動部材７１と摺動する。第三実施形態の第一摺動部材７１は、挿通孔７１６の径方向外側に第一摺動部材７１の噴孔２６とは反対側と第一摺動部材７１の噴孔２６側とを連通する「第一流路」としての連通路７１８を複数有する。
【００７６】
隙間形成部材８３は、第一摺動部材７１と可動コア５０との間に設けられる環状部材である。第三実施形態では、隙間形成部材８３は、噴孔２６側の端面８３１が可動コア当接面５０１に当接し、噴孔２６とは反対側の端面８３２が第一摺動部材７１の噴孔２６側の端面７１５に当接するよう設けられている。隙間形成部材８３は、外壁８３３が固定コア摺動部３０２の内壁と摺動するよう設けられている。
隙間形成部材８３の噴孔２６側の端部の外縁部８３４は、噴孔２６側から噴孔２６とは反対側に向かうにつれて外径が大きくなるよう形成されている。また、隙間形成部材８３の噴孔２６とは反対側の端部の外縁部８３５は、噴孔２６側から噴孔２６とは反対側に向かうにつれて外径が小さくなるよう形成されている。隙間形成部材８３の噴孔２６側の端部は、隙間形成部材８３の内側と外側とを連通する「第二流路」として連通路８３６を有している。また、隙間形成部材８３は、内側に鍔部４３の外壁４３４と形成する「第三流路」としての連通路８３７を有している。
【００７７】
隙間形成部材８３の中心軸ＣＡ０方向の長さは、鍔部４３の中心軸ＣＡ０方向の長さより長い。これにより、鍔部端面４３１と可動コア当接面５０１との間、または、鍔部４３の端面４３２と第一摺動部材７１の端面７１５との間には隙間が形成される。鍔部端面４３１と可動コア当接面５０１との間の隙間４３０と、端面４３２と端面７１５との間の隙間とは、連通路８３７によって連通可能である。
【００７８】
第三実施形態による燃料噴射弁３は、シール部４２が弁座２５０に当接し、かつ、第一摺動部材７１と軸部４１及び鍔部４３とが当接しているとき、鍔部端面４３１と可動コア当接面５０１との間に隙間４３０を有している。これにより、ニードル４０に比較的大きな開弁力を作用させることができる。また、ニードル４０の鍔部４３を有する側の端部は、第一摺動部材７１及び第二摺動部材７２を介して固定コア３０に案内されている。また、可動コア５０は、ニードル４０によって案内されている。これにより、ハウジング２０との摩擦によって可動コア５０の開弁方向への移動速度が遅くなることを防止することができる。可動コア５０の開弁力の低下を防止することができる。したがって、第三実施形態は、第一実施形態の効果（ａ）〜（ｆ）、（ｈ）、（ｊ）〜（ｋ）、（ｍ）〜（ｏ）及び第二実施形態の効果（ｐ）〜（ｒ）を奏する。
【００７９】
（ｓ）また、隙間形成部材８３は、外壁８３３が固定コア摺動部３０２の内壁と摺動するよう設けられている。これにより、隙間形成部材８３の姿勢を安定させることができる。
【００８０】
（ｔ）また、隙間形成部材８３は、隙間４３０と端面４３２と端面７１５との間の隙間とを連通する連通路８３７を有する。これにより、隙間形成部材８３に対するニードル４０の移動によって隙間４３０や端面４３２と端面７１５との間の隙間の体積が変化するとき、端面４３２と端面７１５との間の隙間の燃料は、連通路８３７、８３６を介して隙間形成部材８３の外側とに出入りする。これにより、ニードル４０が中心軸ＣＡ０方向に移動するときの燃料による粘性抵抗を低減することができる。したがって、ニードル４０に作用する可動コア５０の開弁力をさらに大きくすることができる。    
【００８１】
（第四実施形態）
次に、本発明の第四実施形態による燃料噴射弁を図７に基づいて説明する。第四実施形態は、ニードル及び摺動部材の形状、並びに、隙間形成部材に摺動する部位が第一実施形態と異なる。なお、第一実施形態と実質的に同一の部位には同一の符号を付し、説明を省略する。また、図７には、ニードル４０が弁座２５０から離間する方向である開弁方向、及び、ニードル４０が弁座２５０に当接する方向である閉弁方向を図示する。
【００８２】
第四実施形態による燃料噴射弁４の要部断面図を図７に示す。燃料噴射弁４は、第一摺動部材９１、ニードル４０、隙間形成部材９３などを備える。
【００８３】
第一摺動部材９１は、鍔部４３の噴孔２６とは反対側に設けられている略環状の部材である。第一摺動部材９１は、径方向外側の外壁９１１が固定コア摺動部３０２の内壁と摺動するよう設けられている。第一摺動部材９１は、ニードル４０の一部が挿通される挿通孔９１６を有している。挿通孔９１６の噴孔２６側の開口を形成する第一摺動部材９１の噴孔２６側の端部の内縁部９１７は、噴孔２６側から噴孔２６とは反対側に向かうにつれて内径が小さくなるよう形成されている。また、第一摺動部材９１の噴孔２６側の端部の外縁部９１２は、噴孔２６側から噴孔２６とは反対側に向かうにつれて外径が大きくなるよう形成されている。
第一摺動部材９１の鍔部４３とは反対側は、第一スプリング３１の一端が挿入される環状の溝９１３を有する。第四実施形態の第一摺動部材９１は、挿通孔９１６の径方向外側に第一摺動部材９１の噴孔２６とは反対側と第一摺動部材７１の噴孔２６側とを連通する「第一流路」としての連通路９１８を複数有する。
【００８４】
ニードル４０は、軸部４１、シール部４２、摺接部４４、鍔部４３、第二摺動部４５、ばね座部４６などから形成されている。軸部４１、シール部４２、摺接部４４、鍔部４３及び第二摺動部４５は、一体に形成される。
第二摺動部４５は、軸部４１の鍔部４３が設けられる側の端部から開弁方向に突出するよう設けられている。第二摺動部４５は、略筒状の部位であって、径方向外側の外壁４５１と第一摺動部材９１の挿通孔９１６の内壁とが摺動するよう設けられている。第二摺動部４５は、中心軸ＣＡ０の方向に第二摺動部４５を貫通する貫通孔４５２を有する。貫通孔４５２は流路４００と連通する。第二摺動部４５の噴孔２６とは反対側の端部の外縁部４５４は、噴孔２６側から噴孔２６とは反対側に向かうにつれて外径が小さくなるよう形成されている。
【００８５】
ばね座部４６は、摺接部４４と鍔部４３との間であって軸部４１の径方向外側に設けられる略環状の部位である。ばね座部４６は、軸部４１と一体となって往復移動可能に軸部４１に固定されている。ばね座部４６には、「第二付勢部材」としての第二スプリング３３の一端が当接する。第二スプリング３３の他端は、可動コア５０の端面５０３に当接している。第二スプリング３３は、第一実施形態と比較して連通路５０２を有していない可動コア５０を弁座２５０とは反対の方向に付勢している。
本実施形態では、第二スプリング３３の付勢力は、第一スプリング３１の付勢力より小さくなるよう設定されている。これにより、コイル３５に電力が供給されていないとき、ニードル４０のシール部４２は、弁座２５０に当接した状態、すなわち、閉弁状態となる。
【００８６】
隙間形成部材９３は、第一摺動部材９１と可動コア５０との間に設けられる環状部材である。隙間形成部材９３は、噴孔２６側の端面９３１が可動コア当接面５０１に当接し、噴孔２６とは反対側の端面９３２が第一摺動部材９１の噴孔２６側の端面９１５に当接するよう設けられている。隙間形成部材９３は、外壁９３３が固定コア摺動部３０２の内壁と摺動するよう設けられている。
【００８７】
隙間形成部材９３の噴孔２６側の端部の外縁部９３４は、噴孔２６側から噴孔２６とは反対側に向かうにつれて外径が大きくなるよう形成されている。また、隙間形成部材９３の噴孔２６とは反対側の端部の外縁部９３５は、噴孔２６側から噴孔２６とは反対側に向かうにつれて外径が小さくなるよう形成されている。また、隙間形成部材９３の噴孔２６側の端部は、隙間形成部材９３の内側と外側とを連通する「第二流路」として連通路９３６を有している。また、隙間形成部材９３は、内側に鍔部４３の外壁４３４と形成する「第三流路」としての連通路９３７を有している。
【００８８】
隙間形成部材９３の中心軸ＣＡ０方向の長さは、鍔部４３の中心軸ＣＡ０方向の長さより長い。これにより、鍔部端面４３１と可動コア当接面５０１との間、または、鍔部４３の端面４３２と第一摺動部材９１の端面９１５との間には隙間が形成される。鍔部端面４３１と可動コア当接面５０１との間の隙間４３０と端面４３２と端面９１５との間の隙間とは、連通路９３７によって連通可能である。
【００８９】
第四実施形態による燃料噴射弁４は、シール部４２が弁座２５０に当接し、かつ、第一摺動部材９１の端面９１５と軸部４１及び鍔部４３とが当接しているとき、鍔部端面４３１と可動コア当接面５０１との間に隙間４３０を有している。これにより、ニードル４０に比較的大きな開弁力を作用させることができる。また、ニードル４０の鍔部４３を有する側の端部は、第二摺動部４５及び第一摺動部材９１を介して固定コア３０に案内されている。また、可動コア５０は、ニードル４０によって案内されている。これにより、ハウジング２０との摩擦によって可動コア５０の開弁方向への移動速度が遅くなることを防止することができる。したがって、第四実施形態は、第一実施形態の効果（ａ）〜（ｆ）、（ｈ）、（ｊ）、（ｍ）〜（ｏ）及び第三実施形態の効果（ｓ）〜（ｔ）を奏する。
【００９０】
燃料噴射弁４では、軸部４１と第二摺動部４５とがニードル４０として一体に形成されている。これにより、燃料噴射弁４を構成する部品の点数を低減することができる。
【００９１】
また、内縁部９１７の噴孔２６側から噴孔２６とは反対側に向かうにつれて内径が小さくなるよう形成されていることによって軸部４１と第二摺動部４５とによって形成される隅が曲面状となっていても第一摺動部材９１の端面９１５と鍔部４３の端面４３２とを確実に当接させることができる。これにより、軸部４１と第二摺動部４５とによって形成される隅の加工精度を低くすることができる。
【００９２】
（その他の実施形態）
（ア）上述の実施形態では、「第一摺動部」の噴孔側の端部の外縁部及び内縁部、「第二摺動部」の噴孔側の端部の外縁部及び噴孔とは反対側の端部の外縁部、軸部の流路の噴孔とは反対側の開口を形成する内縁部、鍔部の噴孔とは反対側の端部の外縁部は、噴孔側から噴孔とは反対側に向かうにつれて内径または外径が変化する、いわゆる、テーパ状に形成されているとした。しかしながら、テーパ状に形成されなくてもよい。
【００９３】
（イ）第一、二実施形態では、隙間形成部材は鍔部の内壁に摺動するとした。第三、四実施形態では、隙間形成部材は固定コアの内壁に摺動するとした。しかしながら、隙間形成部座が摺動する部位はこれに限定されない。第一、二実施形態の構成において固定コアの内壁に摺動してもよいし、第三、四実施形態の構成において鍔部の内壁に摺動してもよい。
【００９４】
（ウ）隙間形成部材は、端部の外縁部または内縁部が噴孔側から噴孔とは反対側に向かうにつれて内径または外径が変化する、いわゆる、テーパ状に形成されているとした。しかしながら、テーパ状に形成されなくてもよい。
【００９５】
（エ）上述の実施形態では、「第一摺動部」は、「第一流路」を有するとした。「第二摺動部」は、「第二流路」及び「第三流路」を有するとした。しかしながら、これらの部位または部材は、これらの流路を有していなくてもよい。
【００９６】
（オ）上述の実施形態では、軸部と鍔部とは一体に形成されるとした。しかしながら、別部材であってもよい。
【００９７】
（カ）第一〜三実施形態では、可動コアは連通路を有するとした。しかしながら、第四実施形態のように連通路を有していなくてもよい。
【００９８】
（キ）第一〜三実施形態では、第二スプリングは、噴孔側の一端が第一筒部材の内壁に当接するよう設けられているとした。しかしながら、第四実施形態のように、摺接部と鍔部との間であって軸部の径方向外側に固定される規制部に当接するようにしてもよい。
【００９９】
以上、本発明はこのような実施形態に限定されるものではなく、その要旨を逸脱しない範囲で種々の形態で実施可能である。
【符号の説明】
【０１００】
１、２、３、４・・・燃料噴射弁、
２０      ・・・ハウジング、
２００    ・・・隙間（第一隙間）、
２６      ・・・噴孔、
３０      ・・・固定コア、
３５      ・・・コイル、
４１      ・・・軸部（ニードル部）、
４２      ・・・シール部（ニードル部の弁座に当接可能な端部）、
４３      ・・・鍔部、
４３０    ・・・隙間（第二隙間）、
４３１    ・・・鍔部端面（鍔部の噴孔側の端面）、
４４      ・・・摺接部（ニードル部）、
４５      ・・・第二摺動部、
５０      ・・・可動コア、
５００    ・・・挿通孔、
５０１    ・・・可動コア当接面（可動コアの噴孔とは反対側の端面）、
６１      ・・・第一摺動部、
６２、７２・・・第二摺動部材（第二摺動部）、
６３、８３、９３・・・隙間形成部材、
７１、９１・・・第一摺動部材（第一摺動部）。
【図１】
2016125362.tif 000003
【図２】
2016125362.tif 000004
【図３】
2016125362.tif 000005
【図４】
2016125362.tif 000006
【図５】
2016125362.tif 000007
【図６】
2016125362.tif 000008
【図７】
2016125362.tif 000009